(57)【要約】【課題】  ねじキャップを開蓋方向に回動するだけで、中栓の開封確認部により開封状態であることが視認できる注出キャップを提供すること。【解決手段】  容器本体Ａの口部１に装着される中栓Ｂと、中栓Ｂに螺合して着脱可能に装着されるねじキャップＣとを備え、中栓Ｂは、外周に設けられた開封確認部３０と、内容物の注出口が形成された天壁９とを有し、ねじキャップＣは、中栓Ｂに螺合するキャップ本体Ｃ１と、キャップ本体Ｃ１の下端に破断可能な弱化連結部４２を介して連結された封緘バンドＣ２とを有し、封緘バンドＣ２は、ねじキャップＣの開蓋時に、中栓Ｂの開封確認部３０から視認可能な開封表示部６０を有することを特徴とする。【選択図】  図１
2020196532.tif 000002
【特許請求の範囲】
【請求項１】
容器本体の口部に装着される中栓と、中栓に螺合して着脱可能に装着されるねじキャップとを備え、
中栓は、外周に設けられた開封確認部と、内容物の注出口が形成された天壁とを有し、
ねじキャップは、中栓に螺合するキャップ本体と、キャップ本体の下端に破断可能な弱化連結部を介して連結された封緘バンドとを有し、
封緘バンドは、ねじキャップの開蓋時に、中栓の開封確認部から視認可能な開封表示部を有することを特徴とする注出キャップ。
【請求項２】
開封確認部は、中栓の側面に開口部が設けられた拡径筒部として形成され、
開封表示部は、封緘バンドの下端から周方向に延設され、開蓋時に拡径筒部の開口部から視認可能な表示板を有することを特徴とする請求項１に記載の注出キャップ。
【請求項３】
拡径筒部は、円弧状のスリットが形成された段壁部と、段壁部の外縁から垂設された外周筒部とを有し、
表示板は、ねじキャップのセット時に段壁部のスリットに挿入されることを特徴とする請求項２に記載の注出キャップ。
【請求項４】
表示板は、開蓋方向後端側に設けられ、封緘バンドの下端と接続された接続部と、開蓋方向先端側に設けられた爪部とを有し、
拡径筒部は、表示板の爪部と係合する係止部を有することを特徴とする請求項２または３に記載の注出キャップ。
【請求項５】
爪部は、開蓋前に、拡径筒部の開口部から視認可能であることを特徴とする請求項４に記載の注出キャップ。
【請求項６】
開封確認部は、２個所の開口部を有し、
開封表示部は、２枚の表示板を有することを特徴とする請求項２〜５のいずれかに記載の注出キャップ。
【請求項７】
中栓は、容器本体の口部に装着される外筒を有し、
拡径筒部は、外筒の外周面から径方向に延設された段壁部と、段壁部の外縁から外筒と平行に垂設された外周筒部を有し、
封緘バンドは、下端に開封表示部が垂設されたリング部を有し、
中栓は、外筒および拡径筒部に、容器本体から分離して分別廃棄可能な分別機構を有し、
分別機構は、スリットの一端部側に面する外周筒部に形成された縦切断部と、スリットの他端部側に隣接し、外筒の外周面に破断可能に形成された径方向切断部と、径方向切断部からスリットの他端部側と反対方向に所定円弧範囲にわたって、径方向切断部の上面の高さに一致して外筒の外周面から径方向に切り欠かれた切欠き凹部と、切欠き凹部によって外筒内周側に破断可能に形成された薄肉の周方向切断部とを有し、
封緘バンドのリング部は、径方向切断部の近傍に破断可能なリング弱化部を有することを特徴とする請求項３〜６のいずれかに記載の注出キャップ。
【請求項８】
中栓は、天壁の注出口から立設された注出筒と、注出筒の内周面に薄肉弱化部を介して連設され、開蓋時にねじキャップに係着されて抜栓される移行栓体とを有することを特徴とする請求項１〜７のいずれかに記載の注出キャップ。
【発明の詳細な説明】
【技術分野】
【０００１】
本発明は、容器本体の口部に装着される中栓と、中栓に螺合して装着されるねじキャップとを備える注出キャップに関し、特に、ねじキャップを開蓋方向に回動することにより開封状態を一目で確認できる注出キャップに関するものである。
【背景技術】
【０００２】
ドレッシングなどの内容物を収容する食品容器として、開封するまで移行栓体を有する中栓により容器本体内を密封状態にし、中栓に螺合して装着されるねじキャップを開蓋方向に回動することによって、中栓から移行栓体を抜栓し、抜栓した移行栓体をねじキャップの係着部に保持して開封することができるとともに、ねじキャップの外周壁の下端に、破断可能な複数の弱化連結部により連結された封緘バンドを設け、封緘バンドの内周面には、中栓の外周面に形成された切欠き段部に係合可能な縮径段部を設けたことにより、目視で開封状況を確認することができる注出キャップは、従来から知られている（例えば、特許文献１参照）。
【先行技術文献】
【特許文献】
【０００３】
【特許文献１】特開２０１５−１６３５２５号公報
【発明の概要】
【発明が解決しようとする課題】
【０００４】
しかしながら、上記特許文献１記載の注出キャップは、ねじキャップを開蓋方向に回動することによって、中栓から移行栓体を除去するとともに、封緘バンドの縮径段部が中栓の切欠き段部に係合して、それ以上の上昇が阻止され、弱化連結部が破断して、封緘バンドがねじキャップから分離され、目視で開封されたことはわかるが、ねじキャップを開封後、再度ねじキャップを螺合して閉蓋すると、封緘バンドとねじキャップが近接するために、一目で未開封なのかわからないという問題があった。
【０００５】
本発明は、上記問題を解決することを課題とし、容器本体の口部に装着される中栓と、中栓に螺合して着脱自在に装着されるねじキャップとを備える注出キャップにおいて、ねじキャップを開蓋方向に回動するだけで、中栓の開封確認部により開封状態であることが視認できる注出キャップを提供することを目的とする。
【課題を解決するための手段】
【０００６】
本発明は、上記の課題を解決するため、注出キャップとして、容器本体の口部に装着される中栓と、中栓に螺合して着脱可能に装着されるねじキャップとを備え、中栓は、外周に設けられた開封確認部と、内容物の注出口が形成された天壁とを有し、ねじキャップは、中栓に螺合するキャップ本体と、キャップ本体の下端に破断可能な弱化連結部を介して連結された封緘バンドとを有し、封緘バンドは、ねじキャップの開蓋時に、中栓の開封確認部から視認可能な開封表示部を有することを特徴とする構成を採用する。
【０００７】
注出キャップの実施形態として、開封確認部は、中栓の側面に開口部が設けられた拡径筒部として形成され、開封表示部は、封緘バンドの下端から周方向に延設され、開蓋時に拡径筒部の開口部から視認可能な表示板を有することを特徴とする構成を採用し、また、拡径筒部は、円弧状のスリットが形成された段壁部と、段壁部の外縁から垂設された外周筒部とを有し、表示板は、ねじキャップのセット時に段壁部のスリットに挿入されることを特徴とする構成を採用する。
【０００８】
注出キャップの具体的実施形態として、表示板は、開蓋方向後端側に設けられ、封緘バンドの下端と接続された接続部と、開蓋方向先端側に設けられた爪部とを有し、拡径筒部は、表示板の爪部と係合する係止部を有することを特徴とする構成を採用し、また、爪部は、開蓋前に、拡径筒部の開口部から視認可能であることを特徴とする構成を採用し、また、開封確認部は、２個所の開口部を有し、開封表示部は、２枚の表示板を有することを特徴とする構成を採用し、また、中栓は、容器本体の口部に装着される外筒を有し、拡径筒部は、外筒の外周面から径方向に延設された段壁部と、段壁部の外縁から外筒と平行に垂設された外周筒部を有し、封緘バンドは、下端に開封表示部が垂設されたリング部を有し、中栓は、外筒および拡径筒部に、容器本体から分離して分別廃棄可能な分別機構を有し、分別機構は、スリットの一端部側に面する外周筒部に形成された縦切断部と、スリットの他端部側に隣接し、外筒の外周面に破断可能に形成された径方向切断部と、径方向切断部からスリットの他端部側と反対方向に所定円弧範囲にわたって、径方向切断部の上面の高さに一致して外筒の外周面から径方向に切り欠かれた切欠き凹部と、切欠き凹部によって外筒内周側に破断可能に形成された薄肉の周方向切断部とを有し、封緘バンドのリング部は、径方向切断部の近傍に破断可能なリング弱化部を有することを特徴とする構成を採用し、中栓は、天壁の注出口から立設された注出筒と、注出筒の内周面に薄肉弱化部を介して連設され、開蓋時にねじキャップに係着されて抜栓される移行栓体とを有することを特徴とする構成を採用する。
【発明の効果】
【０００９】
本発明の注出キャップは、上記構成を採用することにより、ねじキャップを開蓋方向に回動するだけで、注出キャップの開封後、再度ねじキャップを螺合して閉蓋した場合であっても、中栓の開封確認部により開封状態であることが一目で視認できる。
また、本発明の注出キャップは、開封表示部の表示板から開蓋方向に向かって周方向に延設された爪部を、拡径筒部に形成された開口部から矢印のような形状を露出することにより、誰が開封する場合でも、開封方向を明確に示すことができる。
また、本発明の注出キャップは、中栓に分別機構を有することにより、使用後に、中栓を簡単に、容器本体から分離して分別廃棄することができる。
【図面の簡単な説明】
【００１０】
【図１】注出キャップの実施例１におけるねじキャップと中栓とのセット後の状態を示す図であり、（ａ）は正面部分断面図、（ｂ）は（ａ）の要部拡大図である。
【図２】注出キャップの実施例１における中栓を示す図であり、（ａ）は上面図、（ｂ）は正面部分断面図である。
【図３】注出キャップの実施例１におけるねじキャップを示す図であり、（ａ）は正面部分断面図、（ｂ）は下面図である。
【図４】注出キャップの実施例１における中栓とねじキャップのセット直前の状態を示す正面部分断面図である。
【図５】注出キャップの実施例１における開蓋直前の状態を示す図であり、（ａ）は（ｂ）のＸ１−Ｘ１線における断面矢視図、（ｂ）は正面図である。
【図６】注出キャップの実施例１における開蓋開始時の状態を示す図であり、（ａ）は（ｂ）のＸ２−Ｘ２線における断面矢視図、（ｂ）は正面図である。
【図７】注出キャップの実施例１における開蓋後の状態を示す正面図である。
【図８】注出キャップの実施例２におけるねじキャップと中栓とのセット後の状態を示す図であり、（ａ）は（ｂ）のＹ１−Ｙ１線における断面矢視図、（ｂ）は正面図である。
【図９】注出キャップの実施例２における中栓を示す図であり、（ａ）は上面図、（ｂ）は正面部分断面図である。
【図１０】注出キャップの実施例２におけるねじキャップを示す図であり、（ａ）は正面部分断面図、（ｂ）は下面図である。
【図１１】注出キャップの実施例２における開蓋開始時の状態を示す図であり、（ａ）は（ｂ）のＹ２−Ｙ２線における断面矢視図、（ｂ）は正面図である。
【図１２】注出キャップの実施例３におけるねじキャップと中栓とのセット後の状態を示す図であり、（ａ）は正面図、（ｂ）は（ａ）のＺ１−Ｚ１線における断面矢視図である。
【図１３】注出キャップの実施例３におけるねじキャップと中栓とのセット状態を示す図であり、（ａ）は正面図、（ｂ）は下面図である。
【図１４】注出キャップの実施例３における中栓を示す図であり、（ａ）は正面部分断面図、（ｂ）は下面図である。
【図１５】注出キャップの実施例３における中栓を示す図であり、（ａ）は側面部分断面図、（ｂ）は下面図である。
【図１６】注出キャップの実施例３におけるねじキャップを示す図であり、（ａ）は正面部分断面図、（ｂ）は下面図である。
【図１７】注出キャップの実施例３における開蓋時の状態を示す図であり、（ａ）は正面図、（ｂ）は（ａ）のＺ２−Ｚ２線における断面矢視図である。
【図１８】注出キャップの実施例３における分別機構の操作を説明するために図１７（ｂ）に相当する断面矢視図に示した図であり、（ａ）は縦切断部を切断して外周筒部を外方に展開した状態、（ｂ）はさらに外周筒部を引っ張って径方向切断部が破断し、周方向切断部が破断を開始した状態を示す。
【発明を実施するための形態】
【００１１】
次に、本発明の注出キャップとして、移行栓体を有する中栓を備える注出キャップとした実施例について、図面を参照して説明する。
【実施例１】
【００１２】
図１において、Ａは容器本体、Ｂは容器本体Ａに装着される中栓、Ｃは中栓Ｂに螺合して着脱自在に装着されるねじキャップである。
【００１３】
図１に示すように、容器本体Ａの口部１は、中栓Ｂに嵌着して抜け止め保持する係止突条２を備えている。
図１および図２に示すように、中栓Ｂは、外周側の外筒５、内周側の内筒６、口部１の天面側に位置する上壁７とからなり、口部１が嵌入する環状溝を形成する嵌合筒部４と、嵌合筒部４から立設されたねじ壁部８と、ねじ壁部８の上端から内方に延設され、容器本体Ａ内に収容された内容物の注出口が形成された天壁９と、天壁９の注出口から立設された注出筒１０とから構成されている。
【００１４】
注出筒１０は、天壁９の内縁に連設された円筒状の基部１１と、基部１１の上部に拡径して外側に湾曲するリップ部１２とを有する。
注出筒１０の基部１１の内周面には、全周にわたって形成された薄肉弱化部１４を介して移行栓体１５が一体に連設されている。
移行栓体１５は、頂部が閉鎖された中空の柱状壁１６と、柱状壁１６の底部に設けられたリング状の底壁１７とを備え、薄肉弱化部１４とともに注出口を密閉している。
【００１５】
図２（ａ）に示すように、柱状壁１６は、外周に第１歯部を構成する外歯１８が周方向６個所に突設されており、外歯１８は、略径方向に形成され、その平面視形状は、略扇形状をなしている。
なお、本実施例では、外歯１８は、周方向６個所に設けているが、６個所に限らず移行栓体１５の形状等に合わせて複数の適宜個所に設けることができる。
【００１６】
底壁１７は、柱状壁１６の外周側に下面から所定の高さを有する拡径部２０と、拡径部２０の外周上部に周設された第１係着突部２１と、拡径部２０の外周下部に連設され、外側に向けて漸次肉薄になるとともに薄肉弱化部１４に連設するフランジ部２２とが形成されている。
本実施例では、中栓Ｂは、注出筒１０の内周面に形成された薄肉弱化部１４を介して連設された移行栓体１５を備えているが、抜栓機構の有無や種類はいずれでもよく、例えば抜栓機構として、プルリングにより隔壁から除去部を引き上げ、開封する注出キャップであっても構わない。
【００１７】
ねじ壁部８は、注出筒１０の下部に内周縁で連設した天壁９の外周縁から垂設され、外周面には第１ねじ部を構成する雄ねじ２３が設けられている。
雄ねじ２３は、図１（ｂ）に示すように、通常のねじ山のように、断面が上下対称ではなく、上面が急傾斜して形成される傾斜上面２３ａと、下面が平坦に形成される平坦下面２３ｂとから構成され、雄ねじ２３は、図２（ａ）に示すように、上端部が１８０°間隔で始まる２条ねじで形成されている。
なお、本実施例では、雄ねじ２３は、２条ねじとしているが、ねじ壁部８の高さに応じて、３条以上の多条ねじとすることができる。
【００１８】
図２に示すように、天壁９の周縁部には、外周側に陥没した段部２５が設けられ、段部２５の内周側には、１８０°間隔で２個所に音出し突部２６が配設されている。
【００１９】
嵌合筒部４は、外筒５と内筒６と上壁７によって、容器本体Ａの口部１が嵌入する嵌合溝が形成され、外筒５の内周には、容器本体Ａの係止突条２に係合して口部１を抜け止めする係止縮径部２７が設けられている。
図２に示すように、上壁７の上面には、周方向の３個所にストッパー２８が設けられ、その螺脱方向には略垂直な第１当接面２８ａが形成され、螺着方向には第１傾斜面２８ｂが形成されている。
【００２０】
さらに、中栓Ｂには、外周面から拡径して形成され、ねじキャップＣが開封されたことを後述する開封表示部６０により視認可能な開封確認部３０が設けられている。
開封確認部３０は、図２に示すように、側面に開口部３４が設けられた拡径筒部として形成され、具体的には、外筒５の下部外周面から形成された径方向に延設されたリング状の段壁部３１と、段壁部３１の外縁から垂設され、外筒５の下端部まで延びた外周筒部３２とを備えている。
【００２１】
段壁部３１および外周筒部３２は、縦断面が逆Ｌ字状に形成され、補強リブ３６によって外筒５と接続されている。
段壁部３１には、補強リブ３６から所定円弧範囲にわたって円弧状のスリット３３が形成され、スリット３３は、第１端部３５ａおよび第２端部３５ｂを有する係止部３５によって後方スリット３３ａと前方スリット３３ｂとに分割されている。
外周筒部３２には、段壁部３１の係止部３５が形成された位置付近に、周方向に横長の開口部３４が形成されている。
【００２２】
図１および図３に示すように、ねじキャップＣは、中栓Ｂの雄ねじ２３に螺合する雌ねじ５０を有するキャップ本体Ｃ１と、キャップ本体Ｃ１に破断可能な弱化連結片４２を介して連結された封緘バンドＣ２とから構成されている。
弱化連結片４２は、周方向複数個所に設けられた破断可能な小さな断面を有する小リブ状の連結片であり、本発明の弱化連結部を構成しているが、弱化連結部は、このような連結片に限定されず、薄肉の弱化部やミシン目の入った薄肉部などの適宜形態の弱化部とすることができる。
【００２３】
キャップ本体Ｃ１は、円板状の頂壁４０と、頂壁４０の外周縁から垂設された外周壁４１とを備え、頂壁４０の内面には、内側から順に、切断筒部４３と、ねじ筒部４４とが頂壁４０と一体に垂設され、さらに、切断筒部４３とねじ筒部４４との間に、音出し部材４５が同心円状に１８０°間隔で２個所に配設されている。
【００２４】
図３に示すように、切断筒部４３は、閉蓋時に、外周が注出筒１０の内周面に密着して注出口を密閉する密封筒４７と、切断筒部４３の内周に、外歯１８と係合する第２歯部を構成する内歯４８とを備え、内歯４８は、外歯１８と同数の周方向６個所に設けられている。
なお、本実施例では、外歯１８と内歯４８は、それぞれ同一形状としているが、幅の異なる外歯および内歯を設けることにより、中栓ＢとねじキャップＣのセット時に位置決めを容易にすることができる。
【００２５】
さらに、切断筒部４３は、中栓Ｂの移行栓体１５に形成された第１係着突部２１を乗り越えて拡径部２０の外周面に緊密に嵌合する環状の第２係着突部４９を先端内周に形成している。
ねじ筒部４４は、内周に中栓Ｂの雄ねじ２３に螺合する第２ねじ部を構成する雌ねじ５０が設けられ、雌ねじ５０は、図１（ｂ）に示すように、通常のねじ山のように、断面が上下対称ではなく、上面が平坦に形成される平坦上面５０ａと、下面が急傾斜して形成される傾斜下面５０ｂとから構成され、雌ねじ５０は、図３（ｂ）に示すように、下端部が１８０°間隔で始まる２条ねじで形成されている。
なお、雌ねじ５０は、前述のように、雄ねじ２３に対応して、３条以上の多条ねじとすることができる。
【００２６】
ねじ筒部４４の下端面には、ストッパー２８に係合するくさび状凹部５１が周方向３個所に形成されている。
くさび状凹部５１には、螺脱方向に略垂直な第２当接面５１ａが形成され、螺着方向に第２傾斜面５１ｂが形成されており、それぞれストッパー２８の第１当接面２８ａ、第１傾斜面２８ｂに対応する形状をなしている。
ストッパー２８およびくさび状凹部５１は、本実施例では周方向３個所に設けられているが、これに限定されず適宜の複数個所に設けることができる。
【００２７】
音出し部材４５は、頂壁４０の下面から垂設された剛直な板状の基部５２と、基部５２から垂設され、弾性変形可能に形成された棒状の振動片５３とからなっている。
音出し部材４５は、ねじキャップＣの締め込み終了直前に振動片５３の先端が中栓Ｂの音出し突部２６に当接し、振動片５３を湾曲変形させながら締め込みが進み、締め込み終了と同時に振動片５３が音出し突部２６を乗り越え、復元しようとすることにより、振動し、音が発生されるように設定される。
本実施例では、基部５２は、同心円状の１８０°間隔で２個所に分かれて配設されているが、基部５２は、リング状に連続したものであっても構わない。
【００２８】
封緘バンドＣ２は、ねじキャップＣの開蓋時に開封確認部３０の側面に形成された開口部３４から視認可能な開封表示部６０を備えている。
封緘バンドＣ２は、キャップ本体Ｃ１の外周壁４１下端から弱化連結片４２を介して接続されたリング部６１を備え、開封表示部６０は、リング部６１の下端から垂設された接続部６２と、接続部６２から開蓋方向に向かって周方向に延設され、外表面に「ＯＰＥＮ」と表示された表示板６３と、表示板６３の先端部に形成された爪部６４とを備えている。
【００２９】
次に、本実施例の使用態様と作用効果について説明する。
まず、本実施例の注出キャップを容器本体Ａに装着するには、中栓Ｂの上部からねじキャップＣを押し込み、中栓ＢとねじキャップＣをセットしてから口部１に中栓Ｂの嵌合筒部４を当てがって打栓する。
【００３０】
中栓Ｂの上部からねじキャップＣを押し込んでセットする際には、図示しないマーク等によって中栓ＢとねじキャップＣとの周方向の位置を仮に合わせてもよいが、開封表示部６０は、封緘バンドＣ２から下方に延びているので、開封表示部６０を開封確認部３０の段壁部３１に形成されたスリット３３の後方スリット３３ａに挿入できるようにして、位置合わせすることも可能であり、さらに、ねじキャップＣを中栓Ｂの軸心と合わせるように載置すると、図４に示すように、中栓ＢとねじキャップＣは、正確に周方向の位置合わせがなされていないために、ねじキャップＣの切断筒部４３の内歯４８の下面は、移行栓体１５の外歯１８の上面と当接し、外歯１８の間に嵌入されない可能性が高い。
【００３１】
この場合には、ねじキャップＣに荷重を掛けない状態で、ねじキャップＣを左右方向にわずかに回動させると、切断筒部４３の内歯４８は、外歯１８の間に嵌入し、移行栓体１５の外歯１８と係合することが可能な状態となる。
この状態から、ねじキャップＣを中栓Ｂに押し込むと、キャップ本体Ｃ１の雌ねじ５０は、傾斜下面５０ｂが雄ねじ２３の傾斜上面２３ａに摺接しながら雄ねじ２３を乗り越えて、キャップ本体Ｃ１のねじ筒部４４は、中栓Ｂのねじ壁部８に嵌合するようになる。
【００３２】
このとき、封緘バンドＣ２の開封表示部６０は、図５に示すように、開封確認部３０内に没入し、外周筒部３２に形成された開口部３４から表示板６３に表示された「ＯＰＥＮ」の文字が見えない状態になる。
同時に、切断筒部４３の第２係着突部４９は、中栓Ｂの移行栓体１５に形成された第１係着突部２１を乗り越えて拡径部２０の外周面に嵌合するようになり、さらに、ねじ筒部４４の下部のくさび状凹部５１は、中栓Ｂの上壁７のストッパー２８に嵌合することにより、くさび状凹部５１の第２当接面５１ａがストッパー２８の第１当接面２８ａに当接して両ねじの螺合が完了する。
【００３３】
セット状態に組立られた注出キャップは、内容物が充填された容器本体Ａの口部１に、中栓Ｂの嵌合筒部４を当てがって打栓され、使用に供される。
このように、本実施例の注出キャップは、ねじキャップＣを中栓Ｂにセットする際に、ねじキャップＣを押し込むことによって中栓Ｂに装着することができるので、従来の注出キャップのようにラチェット機構を必要とせず、ワンタッチでねじキャップＣと中栓Ｂとのセットを完了させることができるとともに、封緘バンドＣ２から下方に延びた開封表示部６０を中栓Ｂの開封確認部３０に形成されたスリット３３に挿入することができるので、ねじキャップＣと中栓Ｂとのセット作業性を向上させることができる。
【００３４】
次に、本実施例の注出キャップが装着された容器を使用するには、図５に示す状態からねじキャップＣを中栓Ｂに対して開蓋方向に回動させる。
ねじキャップＣを開蓋方向に回動すると、キャップ本体Ｃ１と弱化連結片４２で連結された封緘バンドＣ２は、キャップ本体Ｃ１とともに回動され、開封表示部６０も図５（ｂ）で見て右方向に移動し、開封表示部６０先端の爪部６４は、係止部３５の第１端部３５ａと当接する。
さらに、回動が進むと、開封表示部６０の爪部６４は、係止部３５を乗り越え、図６に示すように、接続部６２が係止部３５と当接することにより、開封表示部６０の移動が停止し、開封確認部３０の開口部３４から表示板６３の「ＯＰＥＮ」の文字が視認でき、注出キャップの開封を一目で確認することができる。
【００３５】
さらに、回動が進むと、開封表示部６０の移動が停止したことにより、キャップ本体Ｃ１と封緘バンドＣ２との間に設けられた弱化連結片４２が破断し、キャップ本体Ｃ１から封緘バンドＣ２が分離することから、開封確認部３０と開封表示部６０による開封の視認の方が、封緘バンドＣ２の弱化連結片４２が破断するよりも先に、開封を確認することができる。
また同時に、切断筒部４３の内歯４８が回動して、内歯４８の係合面が中栓Ｂの移行栓体１５の外歯１８の係合面に当接するようになり、ねじキャップＣの回転力が内外歯を介して移行栓体１５に加わるようになる。
【００３６】
同時に、図５（ａ）に示す状態から、ねじキャップＣの音出し部材４５の振動片５３先端が、中栓Ｂの天壁９の音出し突部２６に当接し、さらに回動が進むと、振動片５３が湾曲変形しながら進み、図６（ａ）に示すように、振動片５３の先端が音出し突部２６を乗り越え、湾曲変形した振動片５３が復元して振動し、音が発せられる。
【００３７】
このとき、切断筒部４３の第２係着突部４９が移行栓体１５の拡径部２０の外周面に緊密に嵌合しているので、ねじキャップＣの回動に伴って移行栓体１５を上方に引き上げる力を拡径部２０の全周に発生させることができる。
ねじキャップＣの回動が進むと、移行栓体１５に加わる回転力と引き上げ力により、ついには薄肉弱化部１４が破断して注出筒１０内に注出口が開封され、注出筒１０から分離された移行栓体１５は、底壁１７の第１係着突部２１と係合する切断筒部４３の第２係着突部４９によって引き上げられ、ねじキャップＣとともに上昇していく。
【００３８】
さらに、図７に示すように、雌ねじ５０が雄ねじ２３から螺脱して、ねじキャップＣを中栓Ｂから離脱させれば、ねじキャップＣとともに移行栓体１５が除去された注出筒１０の注出口から容器本体Ａ内の内容物を注出することができる。
【００３９】
内容物を注出した後、再度、ねじキャップＣを中栓Ｂに螺合する際には、ねじキャップＣの切断筒部４３の密封筒４７が注出筒１０の内周に密着して容器本体Ａ内を密封することができる。
また、両ねじの螺合が完了する際には、再度、音出し部材４５の振動片５３先端が、音出し突部２６に当接して振動し、音が発せられるので、本発明の利用者は、感覚的にキャップの閉蓋終了を知ることができる。
【００４０】
本実施例では、閉蓋終了後の回動を止めるために、中栓ＢおよびねじキャップＣにストッパー２８およびくさび状凹部５１を設けているが、閉蓋終了時に、音出し部材４５により音が発せられ、利用者は、感覚的にキャップの閉蓋終了を知ることができるので、ストッパー２８およびくさび状凹部５１を設けなくても構わないし、さらに、音出し突部２６と音出し部材４５による音出し機構を設けなくてもよい。
【実施例２】
【００４１】
次に、第１実施例の中栓Ｂの開封確認部３０とねじキャップＣの開封表示部６０の構成を変更した第２実施例について、図８〜図１１を参照して説明する。
以下、第１実施例と同一の構成部分には同一の符号を付し、開封確認部３０と開封表示部６０における変更部分に新たな符号を付し、相違点を中心に説明する。
【００４２】
図８に示すように、Ａは容器本体、Ｂａは容器本体Ａに装着される中栓、Ｃａは中栓Ｂａに螺合して着脱自在に装着されるねじキャップである。
【００４３】
中栓Ｂａは、外周面から拡径して形成され、ねじキャップＣａが開封されたことを後述する開封表示部８０により視認可能な開封確認部７０が設けられている。
開封確認部７０は、図９（ａ）に示すように、側面に相対向する一対の開口部７４が設けられた拡径筒部として形成され、具体的には、外筒５の下部外周面から形成された径方向に延設されたリング状の段壁部７１と、段壁部７１の外縁から垂設され、外筒５の下端部まで延びた外周筒部７２とを備えている。
【００４４】
段壁部７１および外周筒部７２は、縦断面が逆Ｌ字状に形成され、相対向する一対の補強リブ７６によって外筒５と接続されている。
段壁部７１には、それぞれの補強リブ７６から所定円弧範囲にわたって円弧状のスリット７３が一対形成され、スリット７３は、第１端部７５ａおよび第２端部７５ｂを有する係止部７５によって後方スリット７３ａと前方スリット７３ｂとに分割されている。
外周筒部７２には、段壁部７１のそれぞれの係止部７５が形成された位置付近に、周方向に横長の開口部７４が一対形成されている。
【００４５】
図１０に示すように、ねじキャップＣａは、中栓Ｂａの雄ねじ２３に螺合する雌ねじ５０を有するキャップ本体Ｃ１と、キャップ本体Ｃ１に破断可能な弱化連結片４２を介して連結された封緘バンドＣ２ａとから構成されている。
【００４６】
封緘バンドＣ２ａは、ねじキャップＣａの開蓋時に開封確認部７０の側面に形成された一対の開口部７４から視認可能な相対向する一対の開封表示部８０を備えている。
封緘バンドＣ２ａは、キャップ本体Ｃ１の外周壁４１下端から弱化連結片４２を介して接続されたリング部８１を備え、開封表示部８０は、リング部８１の下端から垂設された接続部８２と、接続部８２から開蓋方向に向かって周方向に延設された表示板８３と、表示板８３の先端部に形成された爪部８４と、表示板８３の下端から閉蓋方向に向かって延設された横梁８５と、横梁８５の終端とリング部８１とを連結する支持壁８６とを備えている。
【００４７】
次に、本実施例の使用態様と作用効果について説明する。
本実施例の注出キャップを容器本体Ａに装着するには、第１実施例と同様に、中栓Ｂａの上部からねじキャップＣａを押し込み、中栓ＢａとねじキャップＣａをセットしてから口部１に中栓Ｂａの嵌合筒部４を当てがって打栓する。
【００４８】
中栓Ｂａの上部からねじキャップＣａを押し込んでセットするには、図示しないマーク等によって中栓ＢａとねじキャップＣａとの周方向の位置を仮に合わせてもよいが、第１実施例と同様に、開封表示部８０は、封緘バンドＣ２ａから下方に延びているので、開封表示部８０を開封確認部７０の段壁部７１に形成されたスリット７３の後方スリット７３ａに挿入できるようにして、位置合わせすることも可能であり、さらに、ねじキャップＣａを中栓Ｂａの軸心と合わせるように載置する。
【００４９】
その後、ねじキャップＣａの内歯４８が、移行栓体１５の外歯１８の間に嵌入されない場合には、ねじキャップＣａに荷重を掛けない状態で、ねじキャップＣａを左右方向にわずかに回動させると、ねじキャップＣａの内歯４８は、外歯１８の間に嵌入し、移行栓体１５の外歯１８と係合することが可能な状態となる。
【００５０】
次に、この状態からねじキャップＣａを中栓Ｂａに押し込むと、第１実施例と同様にして、ねじキャップＣａを中栓Ｂａにセットすることができる。
このとき、封緘バンドＣ２ａの一対の開封表示部８０は、図８に示すように、開封確認部７０内に没入し、外周筒部７２に形成された一対の開口部７４から表示板８３に表示された「ＯＰＥＮ」の文字が見えない状態になる。
【００５１】
次に、本実施例の注出キャップが装着された容器を使用するには、図８に示す状態からねじキャップＣａを中栓Ｂａに対して開蓋方向に回動させる。
ねじキャップＣａを開蓋方向に回動すると、キャップ本体Ｃ１と弱化連結片４２で連結された封緘バンドＣ２ａは、キャップ本体Ｃ１とともに回動され、一対の開封表示部８０も図８（ｂ）で見て右方向に移動し、開封表示部８０の爪部８４は、一対の係止部７５の第１端部７５ａと当接する。
さらに、回動が進むと、開封表示部８０の爪部８４は、係止部７５を乗り越え、本実施例では、図１１に示すように、接続部８２が係止部７５と当接することにより、開封表示部８０の移動が停止し、開封確認部７０の一対の開口部７４から表示板８３の「ＯＰＥＮ」の文字が視認でき、注出キャップの両側から注出キャップの開封を一目で確認することができる。
【００５２】
さらに、回動が進むと、本実施例では、一対の開封表示部８０が一対の係止部７５に係止したことにより、封緘バンドＣ２ａは、対向する２個所で安定して係止され、キャップ本体Ｃ１と封緘バンドＣ２ａとの間に設けられた弱化連結片４２が破断し、キャップ本体Ｃ１から封緘バンドＣ２ａが分離する。
ねじキャップＣａの回動が進むと、移行栓体１５に加わる回転力と引き上げ力により、ついには薄肉弱化部１４が破断して注出筒１０内に注出口が開封され、注出筒１０から分離された移行栓体１５は、切断筒部４３の第２係着突部４９によって引き上げられ、ねじキャップＣａとともに上昇し、雌ねじ５０が雄ねじ２３から螺脱して、ねじキャップＣａを中栓Ｂａから離脱させれば、ねじキャップＣａとともに移行栓体１５が除去された注出筒１０の注出口から容器本体Ａ内の内容物を注出することができる。
【実施例３】
【００５３】
次に、第２実施例の中栓Ｂａの開封確認部７０とねじキャップＣａの開封表示部８０の構成を変更した第３実施例について、図１２〜図１８を参照して説明する。
以下、第２実施例と同一の構成部分には同一の符号を付し、開封確認部７０と開封表示部８０における変更部分に新たな符号を付し、相違点を中心に説明する。
【００５４】
図１２に示すように、Ａは容器本体、Ｂｂは容器本体Ａに装着される中栓、Ｃｂは中栓Ｂｂに螺合して着脱自在に装着されるねじキャップである。
【００５５】
中栓Ｂｂは、外周面から拡径して形成され、ねじキャップＣｂが開封されたことを後述する開封表示部１００により視認可能な開封確認部９０が設けられている。
開封確認部９０は、図１４に示すように、側面に相対向する一対の開口部９４が設けられた拡径筒部として形成され、具体的には、外筒５の下部外周面から径方向に延設された一対の段壁部９１と、段壁部９１の外縁から外筒５と平行に垂設され、外筒５の下端部まで延びた外周筒部９２とを備えている。
【００５６】
外筒５と外周筒部９２の間には、一方の段壁部９１から他方の段壁部９１までの範囲にそれぞれ円弧状の第１スリット９３ａおよび第２スリット９３ｂが形成されている。
段壁部９１の下面には、第１端部９５ａおよび第２端部９５ｂを有する係止部９５が垂設され、外周筒部９２には、それぞれの係止部９５が形成された位置から閉蓋方向に離れた位置に、周方向に沿って横長の開口部９４が一対形成されている。
段壁部９１および外周筒部９２は、段壁部９１の開蓋方向端部から垂設された一対の補強リブ９６によって外筒５と接続されている。
【００５７】
さらに、開封確認部９０には、中栓Ｂｂを容器本体Ａから分離して分別廃棄可能とする分別機構Ｄが設けられている。
図１３および図１５に示すように、外周筒部９２は、第１スリット９３ａの一端部である補強リブ９６近傍から、軸方向に破断可能に形成された薄肉の縦切断部１１０によって補強リブ９６側の外周筒部９２から切り離され外方に展開可能になっている。
外周筒部９２の縦切断部１１０から右方向には、上部に指先を入れて引っ掛けるための引っ掛け凹部１１１が形成されている。
【００５８】
第１スリット９３ａの終端側である第１端部９５ａに隣接する外筒５の係止縮径部２７を含めた下部は、図１４（ｂ）および図１５（ｂ）に示すように、径方向に切り欠かれており、外筒５と外周筒部９２の間に破断可能な径方向切断部１１２が形成されている。
外筒５の下部は、外周筒部９２の上端部と同じ高さで、周方向にわたって外周面から径方向に切欠き凹部１１３が設けられ、外筒５の径方向切断部１１２から第２スリット９３ｂ方向には、図１４および図１５に示すように、外筒５の内周側に破断可能な薄肉の周方向切断部１１４が形成されている。
【００５９】
図１４および図１５に示すように、径方向切断部１１２から上面視で反時計回りに縦切断部１１０に向けて周方向切断部１１４が設けられるため、開封確認部９０は、径方向切断部１１２と縦切断部１１０とに挟まれ、大部分が第２スリット９３ｂに対応する部分で外筒５の下部とともに切り離し可能に形成されている。
切欠き凹部１１３に設けられる周方向切断部１１４は、少なくとも中心角１８０°以上の円弧範囲にわたって形成されることが好ましく、本実施例では、周方向切断部１１４は、約２３０°の円弧範囲にわたって形成されている。
【００６０】
図１６に示すように、ねじキャップＣｂは、中栓Ｂｂの雄ねじ２３に螺合する雌ねじ５０を有するキャップ本体Ｃ１と、キャップ本体Ｃ１に破断可能な弱化連結片４２を介して連結された封緘バンドＣ２ｂとから構成されている。
封緘バンドＣ２ｂは、ねじキャップＣｂの開蓋時に開封確認部９０の側面に形成された一対の開口部９４から視認可能な相対向する一対の開封表示部１００を備えている。
【００６１】
封緘バンドＣ２ｂは、キャップ本体Ｃ１の外周壁４１下端から弱化連結片４２を介して接続されたリング部１０１を備え、開封表示部１００は、リング部１０１の下端から垂設された一対の表示板１０３と、表示板１０３の下部から開蓋方向に向かって周方向に延設された爪部１０４と、表示板１０３の下端から閉蓋方向に向かって延設された横梁１０５と、横梁１０５の終端とリング部１０１とを連結する支持壁１０６とを備えている。
さらに、封緘バンドＣ２ｂは、リング部１０１の表示板１０３の近傍に、破断可能な薄肉のリング弱化部１０７が形成されている。
【００６２】
次に、本実施例の使用態様と作用効果について説明する。
本実施例の注出キャップを容器本体Ａに装着するには、第２実施例と同様に、中栓Ｂｂの上部からねじキャップＣｂを押し込み、中栓ＢｂとねじキャップＣｂをセットしてから容器本体Ａの口部１に中栓Ｂｂを当てがって打栓する。
【００６３】
中栓Ｂｂの上部からねじキャップＣｂを押し込んでセットするには、図示しないマーク等によって中栓ＢｂとねじキャップＣｂとの周方向の位置を仮に合わせてもよいが、第２実施例と同様に、開封表示部１００は、封緘バンドＣ２ｂから下方に延びているので、開封表示部１００を開封確認部９０の一対の段壁部９１の間に形成された第１スリット９３ａおよび第２スリット９３ｂに挿入できるようにして、位置合わせすることも可能であり、さらに、ねじキャップＣｂを中栓Ｂｂの軸心と合わせるように載置する。
【００６４】
その後、ねじキャップＣｂの内歯４８が、移行栓体１５の外歯１８の間に嵌入されない場合には、ねじキャップＣｂに荷重を掛けない状態で、ねじキャップＣｂを左右方向にわずかに回動させると、ねじキャップＣｂの内歯４８は、外歯１８の間に嵌入し、移行栓体１５の外歯１８と係合することが可能な状態となる。
【００６５】
次に、この状態からねじキャップＣｂを中栓Ｂｂに押し込むと、第２実施例と同様にして、図１３に示すように、ねじキャップＣｂを中栓Ｂｂにセットすることができる。
このとき、封緘バンドＣ２ｂの一対の開封表示部１００は、図１２に示すように、開封確認部９０内に没入し、外周筒部９２に形成された一対の開口部９４から表示板１０３に表示された「ＯＰＥＮ」の文字が見えない状態になるが、本実施例では、開封表示部１００の表示板１０３の下部から開蓋方向に向かって周方向に延設された爪部１０４は、外周筒部９２に形成された開口部９４から矢印のような形状を露出することにより、誰が開封する場合でも、開封方向を明確に示すことができる。
【００６６】
次に、本実施例の注出キャップが装着された容器を使用するには、図１２に示す状態からねじキャップＣｂを中栓Ｂｂに対して開蓋方向に回動させる。
ねじキャップＣｂを開蓋方向に回動すると、キャップ本体Ｃ１と弱化連結片４２で連結された封緘バンドＣ２ｂは、キャップ本体Ｃ１とともに回動され、一対の開封表示部１００も図１２（ａ）で見て右方向に移動し、開封表示部１００の爪部１０４は、一対の係止部９５の第１端部９５ａと当接する。
【００６７】
さらに、回動が進むと、開封表示部１００の爪部１０４は、係止部９５を乗り越え、図１７に示すように、爪部１０４は、係止部９５の第２端部９５ｂと係合することにより、開封表示部１００の移動が停止し、開封確認部９０の一対の開口部９４から表示板１０３の「ＯＰＥＮ」の文字が視認でき、注出キャップの両側から注出キャップの開封を一目で確認することができる。
【００６８】
このとき、本実施例では、一対の開封表示部１００が一対の係止部９５に係止したことにより、封緘バンドＣ２ｂは、対向する２個所で安定して係止され、キャップ本体Ｃ１と封緘バンドＣ２ｂとの間に設けられた弱化連結片４２が破断し、キャップ本体Ｃ１から封緘バンドＣ２ｂが分離する。
ねじキャップＣｂの回動が進むと、移行栓体１５に加わる回転力と引き上げ力により、ついには薄肉弱化部１４が破断して注出筒１０内に注出口が開封され、注出筒１０から分離された移行栓体１５は、切断筒部４３の第２係着突部４９によって引き上げられ、ねじキャップＣｂとともに上昇し、雌ねじ５０が雄ねじ２３から螺脱して、ねじキャップＣｂを中栓Ｂｂから離脱させれば、ねじキャップＣｂとともに移行栓体１５が除去された注出筒１０の注出口から容器本体Ａ内の内容物を注出することができる。
【００６９】
本実施例の注出キャップは、容器を使用した後に廃棄する際に、中栓Ｂｂを簡単な操作で容器本体Ａから分離し、分別して廃棄することができる。
まず、中栓ＢｂからねじキャップＣｂのキャップ本体Ｃ１を外した後、図１３に示す縦切断部１１０付近の引っ掛け凹部１１１に手指を掛けて外周筒部９２を手前に引っ張ると、図１８（ａ）に示すように、縦切断部１１０が破断し、第１スリット９３ａを拡げるように、外周筒部９２が外方に展開するが、封緘バンドＣ２ｂのリング部１０１は、切断しないで外筒５の外周に残留している。
【００７０】
外周筒部９２を指で把持しながら、さらに外周筒部９２を引っ張ると、図１８（ｂ）に示すように、段壁部９１によって区画された第１スリット９３ａの終端部（係止部９５の第１端部９５ａ）に隣接して設けられた径方向切断部１１２が破断し、外筒５の周方向切断部１１４の破断が開始される。
周方向切断部１１４の破断が開始されると、外方に展開された外周筒部９２は、段壁部９１とともに、第２スリット９３ｂも外方に展開され、リング部１０１は、下端から垂設された支持壁１０６が第２スリット９３ｂの展開に伴って外方に引っ張られ、リング弱化部１０７が破断する。
【００７１】
同時に、当該部分の外筒５は、周方向切断部１１４に沿って、係止縮径部２７（図１４（ａ）、図１５（ａ）参照）の形成された下部が破断を進行させることにより、周方向切断部１１４が破断したところでは、係止縮径部２７の係止突条２（図１参照）への係合が解除されるので、段壁部９１の近くまで破断が進むと、係止縮径部２７による口部１への拘束が解除され、外周筒部９２を引き上げると、中栓Ｂｂを容器本体Ａから離脱させ分別廃棄することができる。
【産業上の利用可能性】
【００７２】
本発明の注出キャップは、ねじキャップを開蓋方向に回動するだけで、中栓の開封確認部により開封状態であることが視認できるから、使用開始前の密封状態を維持する必要がある飲食品や調味料などの容器に広く利用可能であり、とくに誰でも簡単に開封して利用できる容器として好適である。
【符号の説明】
【００７３】
Ａ            容器本体
Ｂ、Ｂａ、Ｂｂ  中栓
Ｃ、Ｃａ、Ｃｂ  ねじキャップ
Ｃ１          キャップ本体
Ｃ２、Ｃ２ａ、Ｃ２ｂ  封緘バンド
Ｄ            分別機構
１            口部
２            係止突条
４            嵌合筒部
５            外筒
６            内筒
７            上壁
８            ねじ壁部
９            天壁
１０            注出筒
１１            基部
１２            リップ部
１４            薄肉弱化部
１５            移行栓体
１６            柱状壁
１７            底壁
１８            外歯（第１歯部）
２０            拡径部
２１            第１係着突部
２２            フランジ部
２３            雄ねじ（第１ねじ部）
２３ａ          傾斜上面
２３ｂ          平坦下面
２５            段部
２６            音出し突部
２７            係止縮径部
２８            ストッパー
２８ａ          第１当接面
２８ｂ          第１傾斜面
３０、７０、９０  開封確認部（拡径筒部）
３１、７１、９１  段壁部
３２、７２、９２  外周筒部
３３、７３      スリット
３３ａ、７３ａ  後方スリット
３３ｂ、７３ｂ  前方スリット
３４、７４、９４  開口部
３５、７５、９５  係止部
３５ａ、７５ａ、９５ａ  第１端部
３５ｂ、７５ｂ、９５ｂ  第２端部
３６、７６、９６  補強リブ
４０            頂壁
４１            外周壁
４２            弱化連結片（弱化連結部）
４３            切断筒部
４４            ねじ筒部
４５            音出し部材
４７            密封筒
４８            内歯（第２歯部）
４９            第２係着突部
５０            雌ねじ（第２ねじ部）
５０ａ          平坦上面
５０ｂ          傾斜下面
５１            くさび状凹部
５１ａ          第２当接面
５１ｂ          第２傾斜面
５２            基部
５３            振動片
６０、８０、１００  開封表示部
６１、８１、１０１  リング部
６２、８２      接続部
６３、８３、１０３  表示板
６４、８４、１０４  爪部
８５、１０５    横梁
８６、１０６    支持壁
９３ａ          第１スリット
９３ｂ          第２スリット
１０７          リング弱化部
１１０          縦切断部
１１１          引っ掛け凹部
１１２          径方向切断部
１１３          切欠き凹部
１１４          周方向切断部
【図１】
2020196532.tif 000003
【図２】
2020196532.tif 000004
【図３】
2020196532.tif 000005
【図４】
2020196532.tif 000006
【図５】
2020196532.tif 000007
【図６】
2020196532.tif 000008
【図７】
2020196532.tif 000009
【図８】
2020196532.tif 000010
【図９】
2020196532.tif 000011
【図１０】
2020196532.tif 000012
【図１１】
2020196532.tif 000013
【図１２】
2020196532.tif 000014
【図１３】
2020196532.tif 000015
【図１４】
2020196532.tif 000016
【図１５】
2020196532.tif 000017
【図１６】
2020196532.tif 000018
【図１７】
2020196532.tif 000019
【図１８】
2020196532.tif 000020